(57)【要約】【課題】トイレットペーパーの装着が簡単にでき、破損し難いうえに嵩張らないトイレットペーパーホルダーを、安価に提供する。【解決手段】ホルダー本体１１と、可動保持部１５と、紙切板１８と、で構成する。ホルダー本体１１は、背板１２の幅方向一端側から受け溝１３ａを有する側板１３を、他端側から張出部１４ａを設けた支持板１４を、前方に向かって凸設し、上部に紙切板１８を回動自在に取り付ける。可動保持部１５は、可動基板１６と、これの内側面に凸設する保持棒１６ａと、先端にストッパー１７ａを設けた係合板１７と、で構成し、可動基板１６を支持板１４の上端に回動自在に連結する。そして、保持棒１６ａが伏臥姿勢の際には、これの先端部を側板１３側の受け溝１３ａが受け止め、起立姿勢の際には、係合板１７のストッパー１７ａが支持板１４側の張出部１４ａに引っ掛かることで、その姿勢を維持できるようにした。【選択図】図１
2020089428.tif 000002
【特許請求の範囲】
【請求項１】
ホルダー本体と、可動保持部と、紙切板と、で構成され、
ホルダー本体は、背板を含み、該背板の幅方向一端側から前方に向かって支持板が凸設され、
可動保持部は、前記支持板の上端に回動自在に支持される可動基板と、該可動基板の内側面に凸設され、この可動基板につれて回動するトイレットペーパー保持用の保持棒と、からなり、
前記保持棒を、伏臥姿勢に維持するための伏臥姿勢維持手段と、起立姿勢に維持するための起立姿勢維持手段と、を有し、
保持棒が、伏臥姿勢にあるときには、この保持棒に回動自在に保持されたトイレットペーパーを繰り出して紙切板で切り取り、使用することが可能であり、
起立姿勢にあるときには、この保持棒の先端側からトイレットペーパーを着脱することが可能である、ことを特徴とするトイレットペーパーホルダー。
【請求項２】
前記可動基板に押上板を延設し、
この押上板が、
保持棒が伏臥姿勢から起立姿勢へと回動していく際には、つれて回動しながら紙切板を押し上げていき、
起立姿勢にあるときには、紙切板を支持し、
起立姿勢から伏臥姿勢へと戻る際には紙切板を支持しながら閉じた状態に戻していく、ように設定されていることを特徴とする請求項１に記載のトイレットペーパーホルダー。
【請求項３】
前記可動保持部に紙切板を取り付け、保持棒の姿勢の変化につれてこの紙切板の姿勢も変化するようにしたことを特徴とする請求項１に記載のトイレットペーパーホルダー
【請求項４】
前記可動保持部の上部に物品が載置可能な棚板を設け、保持棒の姿勢の変化につれてこの棚板の姿勢も変化するようにしたことを特徴とする請求項１または請求項３に記載のトイレットペーパーホルダー。
【発明の詳細な説明】
【技術分野】
【０００１】
本発明は、トイレットペーパーホルダーに関し、さらに詳しくは、ロール状に巻かれたトイレットペーパーの装着を簡単におこなうことのできるトイレットペーパーホルダーに関する。
【背景技術】
【０００２】
この種の提案の中で本発明に近いものとしては、例えば特許文献１に実施例１の提案が既になされている。
【０００３】
この提案にかかるトイレットペーパーホルダーは、基板の両側に対向する側板を備え、一方の側板にトイレットペーパー支持用の支持部材と略くの字型の取付板とを設けるとともに、これの取付板を基板の面部に対して水平方向に回転自在となるように取付ビスによって該基板の一側端部へ軸着し、前記取付板には円弧溝を設けて、この円弧溝を基板に取り付けた係合ビスに係合させたものである。
【０００４】
こうした構成をとることによって、このトイレットペーパーホルダーは、支持部材を基板に対して水平方向に回転させて直立姿勢にすることができ、片手でもトイレットペーパーを取り替えることができるようになっている。
【先行技術文献】
【特許文献】
【０００５】
【特許文献１】実開昭６１−１３４３９４号公報
【発明の概要】
【発明が解決しようとする課題】
【０００６】
しかしながら、このトイレットペーパーホルダーの側板および取付板は、側板および取付板の厚み分だけ突出する取付ビスおよび係合ビスによって、幅方向に長尺なこれら部材の幅方向一端部が支持されているだけである。
【０００７】
したがって、側板を回転させる際、他端部側に前向きの力が少し加わるだけでも、それは大きなモーメント力となって一端部側に伝わり、ビスが変形したりビスによって支持される側板および取付板側のビス孔周りが破損したりするおそれがあった。
【０００８】
また、係合ビスは、その頭部裏面で、取付ビスを支点とする「側板が前倒しになろうとする力」を受け止めなくてはならないため、取付板が摺動する際に、この取付板との間に大きな摩擦力が発生し、スムーズに側板を回転させることができないという欠点もあった。
【０００９】
さらに、別体として形成されている取付ビスや係合ビスを基板に確実に取り付けるためには、基板の厚みを十分にとる必要があり、嵩張りが生じてしまうという問題もあった。
【００１０】
本発明は、このような従来トイレットペーパーホルダーの問題を鑑みてなされたものであって、その目的は、トイレットペーパー装着作業をスムーズかつ簡単におこなうことができ、動作中にも破損し難く、しかも嵩張ることのないトイレットペーパーホルダーを、安価に提供することにある。
【課題を解決するための手段】
【００１１】
かかる目的を達成するために、本発明は、
ホルダー本体と、可動保持部と、紙切板と、で構成され、
ホルダー本体は、背板を含み、該背板の幅方向一端側から前方に向かって支持板が凸設され、
可動保持部は、前記支持板の上端に回動自在に支持される可動基板と、該可動基板の内側面に凸設され、この可動基板につれて回動するトイレットペーパー保持用の保持棒と、からなり、
前記保持棒を、伏臥姿勢に維持するための伏臥姿勢維持手段と、起立姿勢に維持するための起立姿勢維持手段と、を有し、
保持棒が、伏臥姿勢にあるときには、この保持棒に回動自在に保持されたトイレットペーパーを繰り出して紙切板で切り取り、使用することが可能であり、
起立姿勢にあるときには、この保持棒の先端側からトイレットペーパーを着脱することが可能である、ことを特徴とするものである。
【００１２】
なお、ここでいう伏臥姿勢とは、保持棒の軸心が略水平状態にあり、この保持棒に回動自在に保持されたトイレットペーパーが繰り出し可能な状態にあることをいう。
【００１３】
こうした構成をとることによって、本発明にかかるトイレットペーパーホルダーは、可動保持部を回動させる際に破損のおそれがあるほどの大きなモーメント力が軸心に加わることはなく、作業者は安心して装着作業をおこなうことができる。また、無理な力が加わらないために可動保持部をスムーズに回動させることができるという利点も有する。
【００１４】
なお、前記可動基板に押上板を延設し、
この押上板を、
保持棒が伏臥姿勢から起立姿勢へと回動していく際には、つれて回動しながら紙切板を押し上げていき、
起立姿勢にあるときには、紙切板を支持し、
起立姿勢から伏臥姿勢へと戻る際には紙切板を支持しながら閉じた状態に戻していく、ように設定してもよい。
【００１５】
こうした構成をとることによって、トイレットペーパー装着作業の際に紙切板を開閉する手間が省けるという利点が生じる。
【００１６】
また、前記可動保持部に紙切板を取り付け、保持棒の姿勢の変化につれてこの紙切板の姿勢も変化するようにしてもよい。
【００１７】
こうした構成をとることによって、トイレットペーパー装着作業の際に紙切板を開閉する手間が省けるという利点が生じる。
【００１８】
さらにまた、前記可動保持部に物品が載置可能な棚板を設け、保持棒の姿勢の変化につれてこの棚板の姿勢も変化するようにしてもよい。
【００１９】
こうした構成をとることによって、トイレ使用中には棚板に物品を載置することができ、しかも、トイレットペーパー装着作業の際にはこの棚板が妨げになることがないという利点が生じる。
【発明の効果】
【００２０】
本発明によれば、トイレットペーパー装着作業をスムーズかつ簡単におこなうことができ、動作中にも破損し難く、しかも嵩張ることのないトイレットペーパーホルダーを、安価に提供することができる。
【図面の簡単な説明】
【００２１】
【図１】本発明にかかるトイレットペーパーホルダーの第１実施形態を示しており、（ａ）はトイレットペーパーをセットし、保持棒を伏臥姿勢にして紙切板を下げた状態の斜視図、（ｂ）は紙切板を上げて保持棒を起立姿勢にした状態の斜視図。
【図２】同、（ａ）は紙切板を上げて保持棒を伏臥姿勢にした状態の正面図、（ｂ）は紙切板を上げて保持棒を起立姿勢にした状態の正面図。
【図３】同、（ａ）は分解斜視図、（ｂ）は視点を変えた可動保持部の斜視図。
【図４】本発明にかかるトイレットペーパーホルダーの第２実施形態を示しており、（ａ）はトイレットペーパーをセットし、保持棒を伏臥姿勢にした状態の斜視図、（ｂ）は保持棒を起立姿勢にした状態の正面図。
【図５】同、（ａ）は可動保持部を回動させて保持棒を起立姿勢にする途中の状態を表す正面図、（ｂ）はその側面図。
【図６】同、（ａ）は分解斜視図、（ｂ）は視点を変えた可動保持部の斜視図。
【図７】本発明にかかるトイレットペーパーホルダーの第３実施形態を示しており、（ａ）はトイレットペーパーをセットし保持棒を伏臥姿勢にした状態の斜視図、（ｂ）は保持棒を起立姿勢にした状態の斜視図。
【図８】同、保持棒を起立姿勢にした状態の視点を変えた斜視図。
【図９】同、（ａ）は分解斜視図、（ｂ）は視点を変えた可動保持部の斜視図。
【図１０】本発明にかかるトイレットペーパーホルダーの第４実施形態を示しており、（ａ）はトイレットペーパーをセットし保持棒を伏臥姿勢にした状態の斜視図、（ｂ）は対向して設けられた可動保持部のうち、一方の側の保持棒を起立姿勢に、他方を伏臥姿勢にした状態の斜視図。
【図１１】同、分解斜視図。
【発明を実施するための形態】
【００２２】
以下、本発明にかかるトイレットペーパーホルダーの実施形態を図に基づき説明するが、これに限定されるものではない。
【００２３】
≪第１実施形態≫
図１ないし図３は本発明にかかるトイレットペーパーホルダーの第１実施形態を示しており、図１（ａ）はトイレットペーパーをセットし、保持棒を伏臥姿勢にして紙切板を下げた状態の斜視図、（ｂ）は紙切板を上げて保持棒を起立姿勢にした状態の斜視図、図２（ａ）は紙切板を上げて保持棒を伏臥姿勢にした状態の正面図、（ｂ）は支紙切板を上げて保持棒を起立姿勢にした状態の正面図、図３（ａ）は分解斜視図、（ｂ）は視点を変えた可動保持部の斜視図、である。
【００２４】
図において、符号１０は本実施形態におけるトイレットペーパーホルダーを示しており、このトイレットペーパーホルダー１０は、ホルダー本体１１と、可動保持部１５と、紙切板１８と、で構成されている。
【００２５】
このうちホルダー本体１１は、横長矩形状の背板１２と、これの幅方向一端縁から前方に向かって延設された側板１３と、同じく幅方向他端縁から前方に向かって延設された支持板１４と、からなっている。
【００２６】
これの側板１３の内側面には、上端縁略中央から下方に向かい略中央に至るまで受け溝１３ａが刻設されており、さらに、上端縁近傍の奥まった位置には、紙切板１８を取り付けるための取付孔８８ｂが穿設されている。
【００２７】
また、支持板１４は、背板１２の他端縁全体からわずかに前方に向かって突出して張出部１４ａを形成したのち、下半部のみがさらに前方に向かって突出し、全体で側面視逆Ｌ字形状をなしており、側板１３に設けられた取付孔８８ｂに対向する位置には同様に取付孔８８ｂが設けられている。
【００２８】
さらに、この支持板１４の突出した下半部の上端縁中央部は、上方に向かって凸設され、これの前後両端面には可動保持部１５を回動自在に支持するための支持孔１４ｃ・１４ｃがそれぞれ穿設されている。
【００２９】
つぎに、可動保持部１５は、可動基板１６と、該可動基板１６の内側面略中央から側板１３に設けられた受け溝１３ａに向かって凸設された保持棒１６ａと、可動基板１６の奥側端縁下半部から背板１２に平行して延設された係合板１７と、からなっている。
【００３０】
これの可動基板１６は、下端縁略中央が切り欠かれており、該切り欠きの前後両端面には支持板１４に設けられた支持孔１４ｃ・１４ｃに対応する支持軸１６ｃ・１６ｃがそれぞれ凸設されている。
【００３１】
また、係合板１７は、その先端に背板１２側に向かって鍵状に屈曲するストッパー１７ａが設けられている。
【００３２】
この可動保持部１５は、前記支持板１４に設けられた支持孔１４ｃ・１４ｃに支持軸１６ｃ・１６ｃを嵌め合わせることによって、回動自在にホルダー本体１１に取り付けられている。
【００３３】
なお、背板１２には、トイレの壁面にこのトイレットペーパーホルダー１０を取り付けるためのビス孔が複数箇所、穿設されているが、煩雑さを防ぐためここでは省略している。これは以降の実施形態においても同様とする。
【００３４】
つぎに、紙切板１８は、先端部が緩やかに円弧を描いて前下がりとなった平面板状に形成されており、これの両端縁奥まった位置からは下向きに取付板１８ａ・１８ａがそれぞれ延出し、さらにこの取付板１８ａ・１８ａから幅方向外向きには取付軸１８ｂ・１８ｂがそれぞれ凸設されている。
【００３５】
そして、この紙切板１８は、側板１３と支持板１４とに設けられた取付孔８８ｂ・８８ｂに取付軸１８ｂ・１８ｂをそれぞれ嵌め合わせることによって、回動自在にホルダー本体１１に取り付けられている。
【００３６】
つぎに、かかる構成を有するトイレットペーパーホルダー１０の使用の形態について、図を基に説明する。
【００３７】
〈トイレットペーパーを装着し、使用可能な形態〉
図１（ａ）に示すように、保持棒１６ａは、トイレットペーパーＴを回転自在に保持した状態で伏臥姿勢にある。このとき、この保持棒１６ａは、先端部が側板１３に設けられた受け溝１３ａの下端面に支えられて伏臥姿勢を維持した状態にあり、確実にトイレットペーパーＴの繰り出し作業をおこなうことができる。そして、繰り出したトイレットペーパーは、任意の位置で紙切板１８によって切り取ることができる。
【００３８】
ちなみに、ここでの伏臥姿勢維持手段とは、前記のように保持棒１６ａの先端部と、これを支える受け溝１３ａの下端面となる。
【００３９】
なお、受け溝は側板を切り欠いたものとし、保持棒の先端が側板から突出した形態となるようにしてもよい。さらには、保持棒を細径のものとし、芯なしタイプのトイレットペーパーにも対応できるようにしてもよい。また、この細径の保持棒のうえに太径のカバーを被せることができるようにすると、芯のあるトイレットペーパーを使用するときにも繰り出しやすくなり、芯なしと芯あり両タイプともに使い勝手を増すことができる。
【００４０】
〈トイレットペーパーを装着する場合〉
前記伏臥姿勢にある保持棒１６ａもしくは可動基板１６の前端縁等を持ち、支持軸１６ｃを中心として可動保持部１５を時計回りに回動させていく。このとき、紙切板１８も保持棒１６ａの先端部によって押し上げられていき、回動が進んでいくと、まず、この紙切板１８がトイレの壁面や背板１２の上端にもたれかかって開放姿勢となる。なお、この紙切板１８は、先に手を用いて持ち上げておいてもよい。
【００４１】
さらに、可動保持部１５を回動させていくと、保持棒１６ａが伏臥姿勢から直立姿勢へと移っていき、この直立姿勢をわずかに越えたあたりで係合板１７の先端に設けられているストッパー１７ａが支持板１４側に設けられている張出部１４ａに引っ掛かり、これ以上回動しない状態となる。
【００４２】
この状態で可動保持部１５を回動させていた手を離したとしても、ストッパー１７ａには可動保持部自身の重量によって時計回り方向への力が加えられ続けているため、その姿勢すなわち起立姿勢はそのまま維持されることとなる。
【００４３】
あとは、この起立姿勢にある保持棒１６ａの先端側から空になったトイレットペーパー芯を抜き取るなどしてから新たなトイレットペーパーＴを装着し、今度は反時計回りに可動保持部１５を回動させて保持棒１６ａを元の伏臥姿勢に戻してやり、開放姿勢にある紙切板１８を閉じればよい。
【００４４】
ちなみに、ここでの起立姿勢維持手段とは、前記のように係合板１７に設けられたストッパー１７ａと、支持板１４に設けられた張出部１４ａということになる。
【００４５】
このように、本発明のトイレットペーパーホルダーは、可動保持部が支持板の上端に回動自在に支持されているため、回動中にも支持軸を変形させる方向には大きなモーメント力が加わることがない。そのため、スムーズに回動させることができ、破損するおそれもない。さらには、構造も簡単なので製造コストが低く抑えられるという利点も有している。
【００４６】
≪第２実施形態≫
図４および図６は本発明にかかるトイレットペーパーホルダーの第２実施形態を示しており、図４（ａ）はトイレットペーパーをセットし、保持棒を伏臥姿勢にした状態の斜視図、（ｂ）は保持棒を起立姿勢にした状態の斜視図、図５（ａ）は可動保持部を回動させて保持棒を起立姿勢にする途中の状態を表す正面図、（ｂ）はその側面図、図６（ａ）は分解斜視図、（ｂ）は視点を変えた可動保持部の斜視図、である。
【００４７】
図において、符号２０は本実施形態におけるトイレットペーパーホルダー、２１はホルダー本体、２５は可動保持部、２７は係合板、を示している。なお、煩雑さを防ぐために第１実施形態と同一の部位には同一記号を付し、説明を省略している。これは、以降の実施形態においても同様とする。
【００４８】
ここでは、係合板２７に設けられたストッパー２７ａは、正面視で支持軸１６ｃの軸心を中心とする円弧状に切り欠かれたものとなっており、背板１２に設けられた突起２２ａが嵌合するようになっている。
【００４９】
そして、保持棒１６ａが伏臥姿勢の際には、突起２２ａが、ストッパー２７ａの上端縁に、起立姿勢の際には下端縁に、当接することによって、その姿勢が維持されるようになっている。
【００５０】
こうした構成をとることによって、本実施形態のトイレットペーパーホルダー２０の保持棒１６ａは、トイレットペーパーＴを片持ちすることができるようになっている。
【００５１】
なお、起立維持手段としては、係合板を設けたものに限らず、例えばホルダー本体側と可動保持部側とを紐体で連結しその張力で維持するものであってもよく、紐体の代わりに複数の金属板を連結したものであってもよく、その他の既知の手段であってもよい。要は、保持棒が所定の角度で停止し、その姿勢を維持することができるものであれば、その手段は問わない。
【００５２】
さらに、ここでの係合板２７は、その先端から紙切板１８を押し上げるための押上板２７ｂが延設されたものとなっている。この押上板２７ｂは、先端縁が緩やかな弧を描いた曲線で構成されており、保持棒１６ａが起立姿勢にあるときに紙切板１８を支持した状態となるように設定されている。
【００５３】
こうした構成をとることによって、本実施形態のトイレットペーパーホルダー２０は、保持棒１６ａを起立姿勢にする際には押上板２７ｂの先端縁の円弧部分によって紙切板１８がスムーズに開き、伏臥姿勢に戻す際には自重によって紙切板１８が自動的に下がるため閉じる手間が省ける、という利点を有する。
【００５４】
≪第３実施形態≫
図７ないし図９は本発明にかかるトイレットペーパーホルダーの第３実施形態を示しており、図７（ａ）はトイレットペーパーをセットし、保持棒を伏臥姿勢にした状態の斜視図、（ｂ）は保持棒を起立姿勢にした状態の斜視図、図８は保持棒を起立姿勢にした状態の視点を変えた斜視図、図９（ａ）は分解斜視図、（ｂ）は視点を変えた可動保持部の斜視図、である。
【００５５】
図において、符号３０は本実施形態におけるトイレットペーパーホルダー、３１はホルダー本体、３４は支持板、３５は可動保持部、３６は可動基板、３７は係合板、を示している。
【００５６】
ここでの支持板３４は、上端中央部が下方に向かって大きく切り欠かれたものとなっており、これの端面上部には貫通孔となる支持孔３４ｃ・３４ｃがそれぞれ設けられている。
【００５７】
また、これに対応する可動保持部３５側の可動基板３６は、下端中央部がさらに下方に向かって延設されたものとなっており、これの端面上部には貫通孔となる支持孔３６ｃ・３６ｃがそれぞれ設けられている。
【００５８】
そして、別体として設けられた支持ピン９１を、これら支持板３４側に設けられた３４ｃ・３４ｃと可動保持部３５側に設けられた支持孔３６ｃ・３６ｃとに挿通させることによって可動保持部３５は支持板３４に回動自在に連結されている。
【００５９】
このように、本発明にかかるトイレットペーパーホルダーにおいては、可動保持部が支持板に回動自在に支持される方法は既存のどのような方法を用いたものであってもよく、例えば可動保持部とホルダー本体とを木製とし、これらの側面に金属製の蝶番を取り付けて連結したものであってもよい。さらには、可動保持部とホルダー本体とを金属板とし、これらの端縁を丸め、そこに支持ピンを差し込むことによって回動自在に連結するようにしてもよい。
【００６０】
また、本実施形態においては、保持棒１６ａは、前記可動基板３６の中央部から下方に向かって延設された部位の内側面に設けられたものとなっている。
【００６１】
こうした構成をとることによって、本実施形態のトイレットペーパーホルダー３０は、保持棒１６ａの凸設位置にとらわれることなく可動保持部３５の回動軸の位置を設定することができ、起立姿勢にしたときに、この可動保持部３５の幅方向外側へのはみ出しを少なくすることができるという利点を有する。
【００６２】
なお、ここでは可動基板中央部の下方への延出に対応して支持板の中央部も切り欠いたものとしているが、これに限らず、例えば支持板側には切り欠きを設けず、代わりに、可動基板の中央延出部を側板側に向かってわずかに延出したのち下方に延出する正面視逆Ｌ字形状に形成し、保持棒が伏臥姿勢にあるときには支持板の前面にこの延出部が重なるようにしたものであってもよい。
【００６３】
さらに、ここでの可動基板３６は、その上端から側板１３の上端に向かって物品が載置可能な棚板３９が延設されたものとなっている。
【００６４】
この棚板３９の外周縁には、載置された物品が不本意に落下しないように縁板３９ａが立設されており、下面から下方に向かっては背脚部３９ｂおよび側脚部３９ｃが凸設されている。
【００６５】
そして、保持棒１６ａが伏臥姿勢になった際には、これら背脚部３９ｂと側脚部３９ｃとが背板１２および側板１３の上端面に当接してこの姿勢を維持するようになっている。
【００６６】
また、ここでの係合板３７に設けられたストッパー３７ａは、正面視で上向きに屈曲する鍵状のものとなっており、起立姿勢になった場合には、図８に示すように、このストッパー３７ａが背板１２に設けられた突起２２ａと係合してその姿勢を維持するようになっている。
【００６７】
こうした構成をとることによって、本実施形態のトイレットペーパーホルダー３０は、上部に棚板を備えるトイレットペーパーホルダーでありながらも、この棚板が可動保持部につれて起立姿勢となるために装着作業の邪魔にならないという利点を有する。
【００６８】
さらに、側脚部３９ｃと可動基板３６の内側面の奥まった位置には、取付孔８８ｂ・８８ｂがそれぞれ設けられており、ここに紙切板１８の取付軸１８ｂ・１８ｂが嵌合される。すなわち、本実施形態では紙切板１８は可動保持部３５側に取り付けられたものとなっている。
【００６９】
こうした構成をとることによって、本実施形態のトイレットペーパーホルダー３０は、可動保持部３５の回動につれて紙切板１８も回動するようになり、トイレットペーパー装着時に紙切板１８を開閉する手間が省けるという利点を有する。
≪第４実施形態≫
図１０ないし図１１は本発明にかかるトイレットペーパーホルダーの第４実施形態を示しており、図１０（ａ）はトイレットペーパーをセットし、保持棒を伏臥姿勢にした状態の斜視図、（ｂ）は対向して設けられた可動保持部のうち、一方の側の保持棒を起立姿勢に、他方を伏臥姿勢にした状態の斜視図、図１１は分解斜視図、である。
【００７０】
図において、符号４０は本実施形態におけるトイレットペーパーホルダー、４１はホルダー本体、４２は背板、４３は側板、を示している。
【００７１】
ここでのトイレットペーパーホルダー４０は、前記した第３実施形態におけるトイレットペーパーホルダー３０を一対、幅方向に対向して設け、これのホルダー本体３１・３１を一体化した形態をとっている。
【００７２】
詳しくは、これのホルダー本体４１は、背板４２が、第３実施形態の背板１２を一対、幅方向一端縁を中心として対向させ、これを一体化した形態となっており、これの中央には逆Ｌ字形状に形成された側板４３が前方に向かって凸設されている。そして、幅方向外側の両端縁に対向する形で支持板３４・３４がそれぞれ設けられたものとなっている。
【００７３】
また、ここでの棚板３９・３９には縁板は設けられておらず面一の状態であり、棚板３９・３９の上面よりも大きな物品を載置することができるようになっている。さらには、この棚板３９・３９の前端縁の側板４３寄りの位置からは、前方に向かって摘み部４９ｄ・４９ｄがそれぞれ凸設されており、これを摘むことで可動保持部を回動させ易くなっている。
【００７４】
このように本実施形態におけるトイレットペーパーホルダーの棚板はどのような形状であってもよく、別体で形成されたものであってもよい。また、摘み部もその形状や取り付け場所を問わず、例えば可動基板の外側面にレバーハンドル状に凸設されたものであってもよく、要は可動保持部を可動させるときに掴み易く動作させ易いものであればよい。
【００７５】
以上説明したように本発明にかかるトイレットペーパーホルダーは、トイレットペーパー装着作業をスムーズかつ簡単におこなうことができ、動作中に破損し難く、しかも嵩張ることがない。さらには、構造が簡単なので安価に提供することができるという利点をも有している。
【符号の説明】
【００７６】
１０，２０，３０，４０・・・・・・トイレットペーパーホルダー
１１，２１，３１，４１・・・・・・ホルダー本体
１２，４２・・・・・・・・・・・・背板
２２ａ・・・・・・・・・・・・突起
１３，４３・・・・・・・・・・・・側板
１３ａ・・・・・・・・・・・・・・受け溝
１４，３４・・・・・・・・・・・・支持板
１４ａ・・・・・・・・・・・・・・張出部
１４ｃ，３４ｃ・・・・・・・・・・支持孔
１５，２５，３５・・・・・・・・・可動保持部
１６，３６・・・・・・・・・・・・可動基板
１６ａ・・・・・・・・・・・・・・保持棒
１６ｃ・・・・・・・・・・・・・・支持軸
３６ｃ・・・・・・・・・・・・支持孔
１７・・・・・・・・・・・・・・・係合板
１７ａ・・・・・・・・・・・・・・ストッパー
２７ｂ・・・・・・・・・・・・押上板
１８・・・・・・・・・・・・・・・紙切板
１８ａ・・・・・・・・・・・・・・取付板
１８ｂ・・・・・・・・・・・・・・取付軸
３９・・・・・・・・・・・・・・・棚板
３９ａ・・・・・・・・・・・・・・縁板
３９ｂ・・・・・・・・・・・・・・背脚部
３９ｃ・・・・・・・・・・・・・・側脚部
４９ｄ・・・・・・・・・・・・摘み部
８８ｂ・・・・・・・・・・・・・・取付孔
９１・・・・・・・・・・・・・・・支持ピン
Ｔ・・・・・・・・・・・・・・・・トイレットペーパー
【図１】
2020089428.tif 000003
【図２】
2020089428.tif 000004
【図３】
2020089428.tif 000005
【図４】
2020089428.tif 000006
【図５】
2020089428.tif 000007
【図６】
2020089428.tif 000008
【図７】
2020089428.tif 000009
【図８】
2020089428.tif 000010
【図９】
2020089428.tif 000011
【図１０】
2020089428.tif 000012
【図１１】
2020089428.tif 000013